(57)【要約】【課題】立体視画像表示装置において、観察者が立体視画像が表示されたモニタを観察するときに立体視画像を立体視し易いようにする。【解決手段】所定部分領域１３Ａのハーフミラー１５を反射した表示光の輝度が対応部分領域１４Ａのハーフミラー１５を透過した表示光の輝度と同じ値になるように輝度を調整すると共に、分割部分領域１３Ｂ１〜１３Ｂ８，１４Ｂ１〜１４Ｂ８のハーフミラー１５を透過又は反射した表示光の輝度が、所定部分領域１３Ａの調整後のハーフミラー１５を反射した表示光の輝度と同じになるように分割部分領域１３Ｂ１〜１３Ｂ８，１４Ｂ１〜１４Ｂ８毎に輝度を調整する。【選択図】図３
2012137612.tif 000002
【特許請求の範囲】
【請求項１】
互いに異なる撮影方向から被写体を撮影することにより取得された前記撮影方向毎の視差画像を表示する２次元画像表示部を備えた立体視画像表示装置において、
一方の撮影方向の視差画像を表示する前記２次元画像表示部に予め設定された所定部分領域とそれ以外の領域を分割した複数の分割部分領域が設定されており、
他方の撮影方向の視差画像を表示する前記２次元画像表示部に予め設定された前記所定部分領域に対応する対応部分領域とそれ以外の領域を分割した複数の分割部分領域が設定されており、
前記所定部分領域の表示光の輝度が前記対応部分領域の表示光の輝度と同じ値になるように輝度を調整すると共に、各前記分割部分領域の表示光の輝度が、前記所定部分領域の調整後の表示光の輝度と同じになるように前記分割部分領域毎に輝度を調整する輝度調整部を備えていることを特徴とする立体視画像表示装置。
【請求項２】
前記２次元画像表示部が、前記撮影方向毎の視差画像をそれぞれ表示する２つの２次元画像表示部と、一方の前記２次元画像表示部からの表示光を透過すると共に他方の前記２次元画像表示部からの表示光を前記透過した表示光と同方向に反射するハーフミラーとを備え、
該ハーフミラーを透過及び反射した前記撮影方向毎の視差画像の表示光によって前記被写体を立体視することを特徴とする請求項１に記載の立体視画像表示装置。
【請求項３】
前記所定部分領域が前記ハーフミラーの変形が少ない領域であることを特徴とする請求項２に記載の立体視画像表示装置。
【請求項４】
前記所定部分領域が輝度の最も明るい領域であることを特徴とする請求項１または２に記載の立体視画像表示装置。
【請求項５】
互いに異なる撮影方向から被写体を撮影することにより取得された前記撮影方向毎の視差画像をそれぞれ表示する２つの２次元画像表示部と、
一方の前記２次元画像表示部からの表示光を透過すると共に他方の前記２次元画像表示部からの表示光を前記透過した表示光と同方向に反射するハーフミラーとを備え、
該ハーフミラーを透過及び反射した前記撮影方向毎の視差画像の表示光によって前記被写体を立体視する立体視画像表示装置を使用した立体視画像表示方法において、
一方の前記２次元画像表示部に予め設定された所定部分領域とそれ以外の領域を分割した複数の分割部分領域を設定し、
他方の前記２次元画像表示部に予め設定された前記所定部分領域に対応する対応部分領域とそれ以外の領域を分割した複数の分割部分領域を設定して、
前記所定部分領域の前記ハーフミラーを透過又は反射した表示光の輝度が前記対応部分領域の前記ハーフミラーを反射又は透過した表示光の輝度と同じ値になるように輝度を調整すると共に、各前記分割部分領域の前記ハーフミラーを透過又は反射した表示光の輝度が、前記所定部分領域の調整後の前記ハーフミラーを透過又は反射した表示光の輝度と同じになるように前記分割部分領域毎に輝度を調整することを特徴とする立体視画像表示方法。
【請求項６】
前記所定部分領域が前記ハーフミラーの変形が少ない領域であることを特徴とする請求項５に記載の立体視画像表示方法。
【請求項７】
前記所定部分領域が輝度の最も明るい領域であることを特徴とする請求項５に記載の立体視画像表示方法。
【発明の詳細な説明】
【技術分野】
【０００１】
本発明は、立体視可能な立体視画像を表示する立体視画像表示装置および立体視画像表示方法に関するものである。
【背景技術】
【０００２】
従来、複数の画像を組み合わせて表示することにより、視差を利用して立体視できることが知られている。このような立体視できる立体視画像は、同一の被写体を異なる方向から撮影して取得された互いに視差のある複数の画像に基づいて生成されており、具体的には、複数の画像の色を例えば赤と青のように異ならせて重ね合わせたり、複数の画像の偏光方向を異ならせて重ね合わせたりすることにより、複数の画像を合成して立体視画像を生成することができる。この場合、立体視画像を表示して、赤青眼鏡や偏光眼鏡等の画像を分離する立体視眼鏡を用いて表示された立体視画像を目の自動焦点機能により融合視することにより、画像を立体視することができる（アナグリフ方式、偏光フィルタ方式）。また立体視眼鏡を使用し、左目用視差画像と右目用視差画像を交互に表示することにより、立体視画像を表示することも可能である（時分割方式）。
【０００３】
このような立体視画像の生成は、デジタルカメラやテレビなどの分野だけでなく、放射線画像撮影の分野においても利用されている。すなわち、被検者に対して互いに異なる方向から放射線を照射し、その被検者を透過した放射線を放射線画像検出器によりそれぞれ検出して互いに視差のある複数の放射線画像を取得し、これらの放射線画像に基づいて立体視画像を生成することが行われており、このように立体視画像を生成することによって観察者は奥行感のある放射線画像を観察することができて、より診断に適した放射線画像を観察することができる。
【０００４】
上記のような立体視画像を観察することができる立体視画像表示装置においては、特許文献１に、２つのモニタが上下に並んで配設され、この２つのモニタの間に、下側のモニタからの表示光を透過し、上側のモニタからの表示光を反射するビームスプリッターミラーが配設されて、ビームスプリッターによって２つのモニタにそれぞれ表示された画像の表示光を重ねて観察者に到達させることにより画像を立体視する立体視画像表示装置が開示されている。
【０００５】
一方、上記立体視画像表示装置においては、品質に関するガイドラインの基準に沿った品質管理（ＱＣ；Quality Control）をすべく、様々な調整が行われている。上記立体視画像表示装置においては、立体視画像を立体視する際に、左目用視差画像と右目用視差画像の輝度がアンバランスになってしまうと、快適な立体視を得られない場合があるため、予め左目用視差画像を表示するモニタと右目用視差画像を表示するモニタの輝度特性が同じになるように調整する必要がある。特許文献２には一方のモニタのバックライトを調整することで２つのモニタの輝度特性を調整する方法が記載されているが、この調整は表示される画像毎に行われるものでありモニタ品質管理に関することは記載されていない。
【先行技術文献】
【特許文献】
【０００６】
【特許文献１】特開２０１０−１８７９１６号公報
【特許文献２】特開平７−２７０７５０号公報
【発明の概要】
【発明が解決しようとする課題】
【０００７】
特許文献１に開示されたビームスプリッターミラーを備えた立体視画像表示装置においては、ビームスプリッターミラーにおける画像の表示光の反射率と透過率が異なるため、左目用視差画像を表示するモニタと右目用視差画像を表示するモニタの輝度特性を同じにしただけでは、観察者の左右の目にそれぞれ到達する左目用視差画像と右目用視差画像の表示光の輝度すなわち観察者の左目と右目とで明るさを感じる度合いがばらついてしまうことがある。
【０００８】
またモニタの画面全体の輝度特性を調整しただけでは、各モニタの画面内の輝度特性のばらつき、すなわち輝度ムラに対応することが困難であり、各モニタで輝度ムラが発生すると、画像を立体視するときにちらつき等が生じてしまい画像を立体視し難い場合がある。
【０００９】
本発明は上記の事情に鑑みなされたものであり、観察者が立体視画像が表示されたモニタを観察するときに立体視画像を立体視し易い立体視画像表示装置及び立体視画像表示方法を提供することを目的とする。
【課題を解決するための手段】
【００１０】
本発明の立体視画像表示装置は、互いに異なる撮影方向から被写体を撮影することにより取得された前記撮影方向毎の視差画像を表示する２次元画像表示部を備えた立体視画像表示装置において、
一方の撮影方向の視差画像を表示する前記２次元画像表示部に予め設定された所定部分領域とそれ以外の領域を分割した複数の分割部分領域が設定されており、
他方の撮影方向の視差画像を表示する前記２次元画像表示部に予め設定された前記所定部分領域に対応する対応部分領域とそれ以外の領域を分割した複数の分割部分領域が設定されており、
前記所定部分領域の表示光の輝度が前記対応部分領域の表示光の輝度と同じ値になるように輝度を調整すると共に、各前記分割部分領域の表示光の輝度が、前記所定部分領域の調整後の表示光の輝度と同じになるように前記分割部分領域毎に輝度を調整する輝度調整部を備えていることを特徴とするものである。
【００１１】
なお本発明の立体視画像表示装置においては、前記２次元画像表示部が、前記撮影方向毎の視差画像をそれぞれ表示する２つの２次元画像表示部と、一方の前記２次元画像表示部からの表示光を透過すると共に他方の前記２次元画像表示部からの表示光を前記透過した表示光と同方向に反射するハーフミラーとを備え、
該ハーフミラーを透過及び反射した前記撮影方向毎の視差画像の表示光によって前記被写体を立体視することが好ましい。
【００１２】
本発明の立体視画像表示方法は、互いに異なる撮影方向から被写体を撮影することにより取得された前記撮影方向毎の視差画像をそれぞれ表示する２つの２次元画像表示部と、
一方の前記２次元画像表示部からの表示光を透過すると共に他方の前記２次元画像表示部からの表示光を前記透過した表示光と同方向に反射するハーフミラーとを備え、
該ハーフミラーを透過及び反射した前記撮影方向毎の視差画像の表示光によって前記被写体を立体視する立体視画像表示装置を使用した立体視画像表示方法において、
一方の前記２次元画像表示部に予め設定された所定部分領域とそれ以外の領域を分割した複数の分割部分領域を設定し、
他方の前記２次元画像表示部に予め設定された前記所定部分領域に対応する対応部分領域とそれ以外の領域を分割した複数の分割部分領域を設定して、
前記所定部分領域の前記ハーフミラーを透過又は反射した表示光の輝度が前記対応部分領域の前記ハーフミラーを反射又は透過した表示光の輝度と同じ値になるように輝度を調整すると共に、各前記分割部分領域の前記ハーフミラーを透過又は反射した表示光の輝度が、前記所定部分領域の調整後の前記ハーフミラーを透過又は反射した表示光の輝度と同じになるように前記分割部分領域毎に輝度を調整することを特徴とする。
【００１３】
なお本発明の立体視画像表示装置及び立体視画像表示方法において、「輝度」は２次元画像表示部に画像を表示させたときの画面の明るさを意味するものである。
【００１４】
本発明の立体視画像表示装置及び立体視画像表示方法においては、前記所定部分領域が前記ハーフミラーの変形が少ない領域であることが好ましい。
【００１５】
本発明の立体視画像表示装置及び立体視画像表示方法においては、前記所定部分領域が輝度の最も明るい領域であることが好ましい。
【発明の効果】
【００１６】
本発明の立体視画像表示装置および立体視画像表示方法によれば、一方の撮影方向の視差画像を表示する２次元画像表示部に予め設定された所定部分領域とそれ以外の領域を分割した複数の分割部分領域を設定し、他方の撮影方向の視差画像を表示する２次元画像表示部に予め設定された所定部分領域に対応する対応部分領域とそれ以外の領域を分割した複数の分割部分領域を設定して、所定部分領域の表示光の輝度が対応部分領域の表示光の輝度と同じ値になるように輝度を調整すると共に、各分割部分領域の表示光の輝度が、所定部分領域の調整後の表示光の輝度と同じになるように分割部分領域毎に輝度を調整するようにしたので、一方の撮影方向の視差画像を表示する２次元画像表示部と他方の撮影方向の視差画像を表示する２次元画像表示部の輝度特性を同じにすると共に２次元画像表示部の表示画面内の輝度特性のばらつき（輝度ムラ）を低減することができるので、観察者が立体視画像が表示されたモニタを観察するときにちらつき等がなくなり、立体視画像を立体視し易くすることができる。
【図面の簡単な説明】
【００１７】
【図１】本発明の一実施形態にかかる立体視画像表示装置の概略構成図
【図２】本発明の一実施形態にかかる立体視画像表示装置の内部構成を示すブロック図
【図３】本発明の一実施形態にかかる輝度調整方法を説明する図
【図４】本発明の一実施形態にかかる他の輝度調整方法を説明する図
【図５】本発明の一実施形態にかかる立体視画像表示装置の一連の処理のフローチャート
【発明を実施するための形態】
【００１８】
以下、図面を参照して本発明の一実施形態としての立体視画像表示装置について説明する。まず、立体視画像表示装置全体の概略構成について説明する。図１は立体視画像表示装置１０の概略構成を示す図、図２は立体視画像表示装置１０の内部構成を示すブロック図である。
【００１９】
本実施形態の立体視画像表示装置１０は、図１に示すように、コンピュータ１１と、２枚の視差画像を表示するモニタ１２とを備える。コンピュータ１１には、本実施形態のモニタ１２を立体視可能な表示装置として機能させるためのプログラムがインストールされている。
【００２０】
モニタ１２は、左目用視差画像と右目用視差画像を表示することにより、左目用視差画像と右目用視差画像中の被写体を立体視可能にするものである。モニタ１２は、図１に示すように、前方に傾斜した上側モニタ１３と下側モニタ１４とを組み合せて構成されている。そして、この上側モニタ１３と下側モニタ１４の間にハーフミラー１５が配置されている。
【００２１】
上側モニタ１３は表示画面１３ａに右目用視差画像、下側モニタ１４は表示画面１４ａに左目用視差画像をそれぞれ表示するものである。２台のモニタ１３，１４の表示光は互いに直交するように偏光しており、上側モニタ１３からの表示光は図中実線で示すようにハーフミラー４５で反射し、下側モニタ１４からの表示光は図中破線で示すようにハーフミラー１５を透過する。ハーフミラー１５は、観察の際に左目用視差画像と右目用視差画像とが重なるような角度で配置されている。
【００２２】
観察者は、右目用視差画像を観察するように偏光した右目用偏光レンズと左目用視差画像を観察するように偏光した左目用偏光レンズを有する偏光メガネを装着することにより、２枚の視差画像を左右の目でそれぞれ観察することができ、視差画像中の被写体を立体視することができる。なお、視差画像中の被写体を立体視するための構成は、上記の構成に限定されるものではなく、シャッタ機能を備えたメガネを装着することにより、交互に表示された左目用視差画像と右目用視差画像を左右の目でそれぞれ観察するシャッタ方式を採用してもよい。
【００２３】
コンピュータ１１は、中央処理装置（ＣＰＵ）および半導体メモリやハードディスクやＳＳＤ等のストレージデバイス等を備えており、これらのハードウェアによって、図２に示すような制御部１１ａ、記憶部１１ｂ、表示制御部１１ｃ、輝度調整部１１ｄおよび領域設定部１１ｅを構成している。また、コンピュータ１１は入力部１６を備えており、入力部１６は、観察者からの表示開始および終了、観察条件などの入力や操作指示の入力などを受け付けると共に外部記録装置や乳房画像撮影装置、放射線画像撮影装置等と接続されて視差画像ファイル等のデータを入力する無線通信又は有線通信のインターフェース、図示しない輝度センサからの入力を受け付けるインターフェースとしても機能する。この入力部１６は、たとえば、キーボードやマウスなどの入力デバイス及びＵＳＢポート等のデータ送受信手段によって構成されるものである。
【００２４】
制御部１１ａは、上述した各部１１ｂ〜１１ｅに対して所定の制御信号を出力し、システム全体の制御を行うものである。
【００２５】
記憶部１１ｂは、入力部１６から入力された、異なる視点で撮影された左目用視差画像と右目用視差画像の画像信号や輝度調整用画像の画像信号を記憶するものである。
【００２６】
表示制御部１１ｃは、記憶部１１ｂから読み出された左目用視差画像と右目用視差画像又は輝度調整用画像を表示するようモニタ１２を制御するものである。
【００２７】
輝度調整部１１ｄは、図示しない輝度センサからの入力に基づいてモニタ１２の輝度特性を調整するものであり、具体的な調整方法については後で詳細に説明する。なお輝度センサは、可視光領域に感度があるものであり、シリコンフォトダイオード等を使用することができる。
【００２８】
領域設定部１１ｅはモニタ１２の後述する上側モニタ１３の表示画面（２次元画像表示部）１３ａ及び下側モニタ１４の表示画面(２次元画像表示部)１４ａにおいて複数の部分領域を設定するものである。ここで図３に輝度調整方法を説明する図、図４に他の輝度調整方法を説明する図を示す。
【００２９】
領域設定部１１ｅは、図３に示すように、上側モニタ１３の表示画面１３ａを９つに等分割して図中斜線で示す表示画面１３ａの中央の領域に所定部分領域１３Ａを予め設定する。また下側モニタ１４の表示画面１４ａも上記上側モニタ１３と同様に９つに等分割して、表示画面１４ａの中央の所定部分領域１３Ａに対応する領域に対応部分領域１４Ａを設定する。そして上側モニタ１３の表示画面１３ａの所定部分領域１３Ａ以外の領域で８つに分割されている領域を分割部分領域１３Ｂ１〜１３Ｂ８に設定すると共に下側モニタ１４の表示画面１４ａの対応部分領域１４Ａ以外の領域で８つに分割されている領域を分割部分領域１４Ｂ１〜１４Ｂ８に設定する。
【００３０】
なお本実施形態においては、所定部分領域を上側モニタ１３の表示画面１３ａに、対応部分領域を下側モニタ１４の表示画面１４ａにそれぞれ設定したが、本発明はこれに限られるものではなく、所定部分領域を下側モニタ１４の表示画面１４ａに、対応部分領域を上側モニタ１３の表示画面１３ａにそれぞれ設定しても良い。
【００３１】
また本実施形態においては所定部分領域１３Ａと所定部分領域１３Ａ以外の領域すなわち分割部分領域１３Ｂ１〜１３Ｂ８及び対応部分領域１４Ａと対応部分領域１４Ａ以外の分割部分領域１４Ｂ１〜１４Ｂ８が表示画面１３ａ，１４ａを等分割するように設定されているが、本発明はこれに限られるものではなく、所定部分領域１３Ａ及び対応部分領域１４Ａが分割部分領域１３Ｂ１〜１３Ｂ８，１４Ｂ１〜１４Ｂ８とは異なる大きさの領域で設定されていてもよい。また分割部分領域１３Ｂ１〜１３Ｂ８，１４Ｂ１〜１４Ｂ８は表示画面１３ａと表示画面１４ａとで対応する分割部分領域の大きさが同じであれば必ずしも等分割されている必要はない。
【００３２】
また本実施形態においては所定部分領域１３Ａを表示画面１３ａの中央付近に設定したが、本発明はこれに限られるものではなく、例えば、ハーフミラー１５の機構的な変形が少ない領域、具体的には図１に示すように、上下両方のモニタ１３，１４に支持されているハーフミラー１５の上方両端側に最も近い領域である部分領域１３Ｂ６又は部分領域１３Ｂ８を所定部分領域としてもよい。この場合、部分領域１３Ｂ６又は部分領域１３Ｂ８に対応する下側モニタ１４の表示画面１４ａの対応部分領域は部分領域１４Ｂ６又は部分領域１４Ｂ８となり、部分領域１４Ｂ６又は部分領域１４Ｂ８は、部分領域１３Ｂ６又は部分領域１３Ｂ８と同様にハーフミラー１５の機構的な変形がすくない領域であるため、安定した輝度調整を行うことができる。
【００３３】
また図４に示すように、上側モニタ１３の表示画面１３ａを複数の領域（本実施形態では１６）に分割して、分割部分領域１３Ｃ１〜１３Ｃ１６毎にハーフミラー１５を反射した表示光の輝度を測定しておき、分割部分領域１３Ｃ１〜１３Ｃ１６の中で最も明るい領域を所定部分領域としてもよい。モニタの輝度が高い方が放射線画像が見やすく、診断しやすいので、このように分割部分領域１３Ｃ１〜１３Ｃ１６の中で最も明るい領域を所定部分領域とすることで、モニタの輝度が高くなるように輝度調整することができ、診断に適した輝度とすることができる。通常、モニタの輝度は出荷時はモニタの劣化を考慮して８割程度の輝度に抑えられているので、最も明るい領域を所定部分領域とした場合も、抑えられている２割の輝度を使うことで、輝度を高くする調整をすることが可能である。
【００３４】
次いで、本実施形態において行われる処理について説明する。図５は本実施形態において行われる処理を示すフローチャートである。まず制御部１１ａが、図５に示すように、記憶部１１ｂに記憶された輝度調整用の画像である白の画像を読み出して、表示制御部１１ｃに出力し、表示制御部１１ｃが入力された白の画像を上側モニタ１３の表示画面１３ａと下側モニタ１４の表示画面１４ａにそれぞれ表示させる（Ｓ１１）。
【００３５】
次に領域設定部１１ｅが上述したようにして上側モニタ１３の表示画面１３ａにおいて所定部分領域１３Ａ及び分割部分領域１３Ｂ１〜１３Ｂ８をそれぞれ設定すると共に下側モニタ１４の表示画面１４ａにおいて所定部分領域１３Ａに対応する対応部分領域１４Ａ及び分割部分領域１４Ｂ１〜１４Ｂ８をそれぞれ設定する（Ｓ１２）。
【００３６】
次に図示しない輝度センサを使用して所定部分領域１３Ａのハーフミラー１５を反射した表示光の輝度及び対応部分領域１４Ａのハーフミラーを透過した表示光の輝度を測定する（Ｓ１３）。輝度の測定方法としては、輝度計を用いて、例えば、所定部分領域１３Ａに対応する位置の輝度を測定するようにすればよい。
【００３７】
次に輝度調整部１１ｄが、所定部分領域１３Ａのハーフミラー１５を反射した表示光の輝度が対応部分領域１４Ａのハーフミラー１５を透過した表示光の輝度と同じ値になるように輝度を調整する（Ｓ１４）。輝度の調整は、モニタ１３の表示画面１３ａを照明するバックライトのうち所定部分領域１３Ａを照明するバックライトの光量を調整することにより行う。なお本実施形態での輝度の調整はバックライトの光量を調整することにより行うものとしたが、本発明はこれに限られるものではなく、例えば表示画面１３ａ，１４ａの部分領域毎に光を吸収するフィルタ等を設けるようにしてもよいし、モニタに表示する画像データ値を調整してもよい。
【００３８】
次に輝度調整部１１ｄが、モニタ１３の表示画面１３ａの分割部分領域１３Ｂ１〜１３Ｂ８及びモニタ１４の表示画面１４の分割部分領域１４Ｂ１〜１４Ｂ８の各々について、各分割部分領域１３Ｂ１〜１３Ｂ８，１４Ｂ１〜１４Ｂ８のハーフミラー１５を透過又は反射した表示光の輝度が、所定部分領域１３Ａの上記調整後のハーフミラー１５を反射した表示光の輝度と同じ値になるように輝度を調整する（Ｓ１５）。
【００３９】
このように分割された領域毎に輝度の調整を行うことにより、各モニタ１３，１４の表示画面１３ａ，１４ａ全体の輝度を調整するよりも表示画面１３ａ，１４ａにおける輝度特性のばらつき（輝度ムラ）を低減することができる。
【００４０】
そして制御部１１ａは全ての領域の輝度調整が終了したか否かを判別し（Ｓ１６）、全ての領域の輝度調整が終了している場合（Ｓ１６；ＹＥＳ）は、全ての処理を終了させ、全ての領域の輝度調整が終了していない場合（Ｓ１６；ＮＯ）は、処理をステップＳ１５へ移行してステップＳ１５以降の処理を繰り返し行う。このようにして本実施形態の立体視画像表示装置１０による一連の処理を行う。
【００４１】
以上のように本実施形態の立体視画像表示装置１０及び立体視画像表示方法によれば、上側モニタ１３の表示画面１３ａに予め設定された所定部分領域１３Ａとそれ以外の領域を分割した複数の分割部分領域１３Ｂ１〜１３Ｂ８を設定し、下側モニタ１４の表示画面１４ａに所定部分領域１３Ａに対応する対応部分領域１４Ａとそれ以外の領域を分割した複数の分割部分領域１４Ｂ１〜１４Ｂ８を設定して、所定部分領域１３Ａのハーフミラー１５を反射した表示光の輝度が対応部分領域１４Ａのハーフミラーを透過した表示光の輝度と同じ値になるように輝度を調整すると共に、各分割部分領域１３Ｂ１〜１３Ｂ８，１４Ｂ１〜１４Ｂ８のハーフミラー１５を透過又は反射した表示光の輝度が、所定部分領域１３Ａの調整後のハーフミラー１５を反射した表示光の輝度と同じになるように分割部分領域１３Ｂ１〜１３Ｂ８，１４Ｂ１〜１４Ｂ８毎に輝度を調整するようにしたので、上下のモニタ１３，１４の表示画面１３ａ，１４ａの輝度特性を同じにすると共に各表示画面１３ａ，１４ａ内の輝度特性のばらつき（輝度ムラ）を低減することができるので、観察者が立体視画像が表示されたモニタを観察するときにちらつき等がなくなり、立体視画像を立体視し易くすることができる。
【００４２】
なお上述した実施形態では、輝度調整用の画像を白画像としたが、本発明はこれに限られるものではなく、予め輝度調整用に生成されたパターン画像を使用するようにしてもよい。また上述した実施形態では、ハーフミラーを用いた立体視画像表示装置としたが、本発明はこれに限られるものではなく、レンチキュラーレンズを用いた立体視画像表示装置を採用してもよい。この場合、表示場面において左目用の画像を表示する領域と右目用の画像を表示する領域との輝度を調整する。
【００４３】
また上述した実施形態では、互いに異なる撮影方向から被写体を撮影することにより取得した視差画像に基づく立体視画像を表示する立体視画像表示装置１０について説明したが、本発明はこれに限られるものではなく、例えば乳房や胸部、頭部等の被写体へ互いに異なる撮影方向から放射線を照射することにより取得した放射線画像に基づく立体視画像を表示する放射線画像表示装置にも本発明を適用することができる。なお放射線画像表示装置に本発明を適用することにより、観察者が立体視画像が表示されたモニタを観察するときにちらつき等がなくなり、立体視画像を立体視し易くすることができるので、観察者の診断効率を向上させることができる。
【符号の説明】
【００４４】
１０    立体視画像表示装置
１１    コンピュータ
１１ｄ  輝度調整部
１１ｅ  領域設定部
１２    モニタ
１３    上側モニタ
１３ａ  表示画面（２次元画像表示部）
１４    下側モニタ
１４ａ  表示画面（２次元画像表示部）
１５    ハーフミラー
【図１】
2012137612.tif 000003
【図２】
2012137612.tif 000004
【図３】
2012137612.tif 000005
【図４】
2012137612.tif 000006
【図５】
2012137612.tif 000007